【事件の表示】
　特許第２７７３２８４号「乗用管理機」の特許に対する特許異議の申立てについて、次のとおり決定する。
【結　論】
　訂正を認める。
　特許第２７７３２８４号の特許を維持する。
【理　由】
１．手続の経緯
　本件特許第２７７３２８４号の出願は、平成１年８月２４日に出願したものであって、平成１０年４月２４日にその特許の設定登録がなされ、その後、特許異議の申立がなされ、取消理由通知及び訂正拒絶理由をなしたところ、それぞれの指定期間内の平成１１年１２月８日付けで訂正請求がなされ平成１２年６月５日付けでその手続補正がなされたものである。
　
２．訂正の適否の判断
(2-1)訂正請求に対する手続補正の適否について
　手続補正の内容は、次のとおりである。
　１）訂正明細書の１頁３〜４行、２２行の「ブーム１７，２０，２１」を、「ブーム２０，２１」に補正する。
　２）訂正明細書の２頁４行の「各操作具３，３及び各計器４，４等も」を、「各操作具３，３、または各計器４，４等も」に補正する。
　上記訂正請求書の補正は、その要旨を変更するものではないから、特許法第１２０条の４第３項において準用する同法第１３１条第２項の規定に適合する。
　
(2-2)訂正請求の適否について
　イ）訂正請求の内容
　訂正請求された訂正事項は、次のとおりである。
　１）訂正事項ａ
　特許明細書の特許請求の範囲の請求項１の記載「車体１に搭載され操縦席２ａ囲むように配設した薬液タンク２に、薬液散布に必要な操作具３・・・、または薬液の圧力を表示する計器４・・・を設けた乗用管理機。」（特許公報１欄２〜５行）を、「車体１の前端部に適宜数のノズル１６・・・を有するブーム２０，２１を折りたたみ可能に設け、車体１後部に操縦席２ａの後端部から側方にかけて囲むように配設した薬液タンク２を着脱自在に設けると共に、この操縦席２ａ側方の薬液タンク２には、薬液散布に必要な操作具３・・・、または薬液の圧力を表示する計器４・・・を設けた乗用管理機。」に訂正する。
　２）訂正事項ｂ
　特許明細書の従来技術、および発明が解決しようとする課題の項末尾の記載「・・・課題が有った。」（特許公報２欄１行）の後に行を改め「また、例えば防除作業以外のため薬液タンクを取外す場合、車体に設けられている操作具、計器等が作業に対して邪魔になるとか、このため各操作具、計器も取外すのでは手数を要し煩わしい。」の記載を加える訂正をする。
　３）訂正事項ｃ
　特許明細書の課題を解決するための手段の項の記載「車体１の後端部から操縦席２ａの側方にかけて薬液タンク２を形成し、この操縦席２ａ側方の薬液タンク２の上部に、前記薬液散布に必要な操作具３・・・、または薬液の圧力を表示する計器４・・・を配設してなる乗用管理機の構成とする。」を、「車体１の前端部に適宜数のノズル１６・・・を有するブーム２０，２１を折りたたみ可能に設け、車体１後部に操縦席２ａの後端部から側方にかけて囲むように配設した薬液タンク２を着脱自在に設けると共に、この操縦席２ａ側方の薬液タンク２には、薬液散布に必要な操作具３・・・、または薬液の圧力を表示する計器４・・・を設けた乗用管理機とする。」に訂正する。
　４）訂正事項ｄ　　　
　特許明細書の発明の作用、および効果の項末尾の記載「・・・操作性を損なうことが無い。」（特許公報２欄１５行）の後に行を改め、「また、防除作業以外の作業を行うため薬液タンク２を取外す必要がある場合、車体１から薬液タンク２を取外すと、各操作具３,３、または各計器４,４等も車体１から除去されるため、前記課題のように、薬液タンク２とは別に操作具や計器等を各々取外す必要がなく、従って防除作業から他の作業状態への切替操作を容易にするものである。」の記載を加える訂正をする。
　
　ロ）訂正目的の適否
　１）上記訂正事項ａは、特許明細書の特許請求の範囲の請求項１に記載された「乗用管理機」を、「車体１の前端部に適宜数のノズル１６・・・を有するブーム２０，２１を折りたたみ可能に設け、車体１後部に操縦席２ａの後端部から側方にかけて囲むように配設した薬液タンク２を着脱自在に設ける」構成に限定するものであって、特許請求の範囲の減縮に相当する。
　そして、上記構成は、特許明細書の実施例の項の「該車体１の前端部から前方に向けて突出する左右一対の支持アーム１５，１５には、・・・該車体１のほぼ全幅に等しい長さの中央ブーム１７を支持させ、又該車体１前端の中央部に設けられた枢着部機１８には、・・・回動アーム１９を前方水平方向に左右振替回動可能に設け、この回動アーム１９の先端部には、適宜数のノズル１６，１６・・・を有した中間ブーム２０を該回動アーム１９に対して上方へ屈曲可能に設け、さらにこの中間ブーム２０の先端部には、適宜数のノズル１６、１６を有した側部ブーム２１を該中間ブーム２０に対して下方へ屈曲可能に設ける。」（本件特許公報３欄８〜１９行）、「中間ブーム２０と側部ブーム２１とを上方に向けて折たゝみ、」（本件特許公報４欄４〜５行）、「又前記車体１後端部からロワリング１４，１４の後端部に亘っては、薬液を収容しうると共に搭乗者の操縦席部２ａを形成する薬液タンク２を固定可能に載置し、この操縦席部２ａの側部に形成されたアームレスト２ｂ上には、」（本件特許公報３欄２０〜２３行）、の各記載に基づくものである。
　２）上記訂正事項ｂ〜ｃは、発明の詳細な説明の記載を上記特許請求の範囲の訂正に整合させるものであって、明りようでない記載の釈明に相当する。
　
　ハ）新規事項及び拡張・変更について
　上記訂正事項ａ〜ｄは、願書に添付した明細書又は図面に記載された事項の範囲内においてなされたものであり、又、実質上特許請求の範囲を拡張し、又は変更するものではない。
　
　ニ）独立特許要件について
（訂正明細書の発明）
　訂正された特許明細書の特許請求の範囲の請求項１に記載された発明（以下、訂正明細書の発明という。）は、次のとおりである。
「車体１の前端部に適宜数のノズル１６・・・を有するブーム２０，２１を折りたたみ可能に設け、車体１後部に操縦席２ａの後端部から側方にかけて囲むように配設した薬液タンク２を着脱自在に設けると共に、この操縦席２ａ側方の薬液タンク２には、薬液散布に必要な操作具３・・・、または薬液の圧力を表示する計器４・・・を設けた乗用管理機。」
　
（引用刊行物）
　取消理由通知で引用された刊行物及びその記載事項は下記のとおりである。
刊行物１：意匠登録第６２７５７７号公報（甲第１号証）
刊行物２：実願昭６２−１２１３８４号（実開昭６４−２８９７９号公報）のマイクロフィルム
刊行物３：実願昭５４−１１７７６２号（実開昭５６−３５２７６号公報）のマイクロフイルム（甲第２号証）
刊行物４：特開昭６３−１１９８７４号公報（甲第３号証）
刊行物５：実願昭６０−１１７２１７号（実開昭６２−２７７６９号公報）のマイクロフイルム（甲第４号証）
刊行物６：米国特許第４２６９３５６号明細書（甲第５号証）
刊行物７：特開昭６２−１１７６５４号公報
刊行物８：実願昭５６−８９０５６号（実開昭５７−１９９０７６号公報）のマイクロフイルム（甲第６号証）
刊行物９：実願昭６１−１１９８１５号（実開昭６３−２７５７３号公報）のマイクロフイルム
　
刊行物１（意匠登録第６２７５７７号公報）：
　栽培用防除車に関する平面図には、車体後部に搭載され操縦席を囲むように配設した薬液タンク、その後部に配設した散布ホースが記載されている。
刊行物２（実願昭６２−１２１３８４号（実開昭６４−２８９７９号公報）のマイクロフィルム）：
　図面の簡単な説明には、「第１図はこの考案のスプレーヤの側面図、第２図はその平面図、・・・８・・・薬剤タンク」の記載があり、また、その第２図には、車体に搭載され操縦席を囲むように配設した薬剤タンク８が記載ある。　
刊行物３（実願昭５４−１１７７６２号（実開昭５６−３５２７６号公報）のマイクロフイルム）：
　「液体タンク１の前部両側を突設させて、座席２の側部を包囲したことを特徴とするスピードスプレーヤーの液体タンク。」（実用新案登録請求の範囲）の記載があり、また、第１〜９図には、液体タンク１は車体後方に配設され、その後部には噴口８が配設された記載がある。
刊行物４（特開昭６３−１１９８７４号公報）：
　可搬式薬剤散布装置に関し、「また、前記チャンバーとマニホールド間に配管２７には切換弁３５が設けられ、該切換弁の操作によりチャンバー２６内の薬液が配管３６を介して液槽２内に還流するようになっており、これにより薬液の撹拌がなされる。さらに、チャンバー２６には第３図に示す圧力調整弁４１が設けられ、ハンドル４２の調節によりバルブ４３の閉止圧力が調節されると共に、前記チャンバー内圧力が一定圧力を越えたときに開口４４、排出口４５を介して液槽２内に薬液をバイパス還流させるようになっている。これにより、噴霧ノズル１３からの薬液の噴霧状況に応じてその送給圧力及び送給量の自在調節を可能としている。」（３頁左上欄１７行〜同右上欄１０行）、の記載があり、また、第１図には、その後方に噴霧ノズル１３を具備した液槽２はトラクター本体の後端に配設された記載がある。
刊行物５（実願昭６０−１１７２１７号（実開昭６２−２７７６９号公報）のマイクロフイルム）：
　歩行用の薬剤タンク車に関し、「前記枠体１の上部には、第４図に示すように、ほぼ中空直方体に合成樹脂等により形成される薬剤タンク２３の上面にはキャップ２４により開閉可能に閉鎖された薬剤投入口２５が形成され、また後部に形成される切欠き部２６にはそれぞれコック２７、２８が備えられると共に前記動力噴霧機１０の吸水口２１及び余水口２２にそれぞれ連結される吸水口２９及び余水口３０が形成され、また、薬剤タンク２３の前部下方には薬剤抜き用のドレン口３１が形成される。」（５頁１６行〜６頁６行）、の記載があり、また、第１図及び第３図には、薬剤タンク２３の前方には複数のノズル３７・・・を有するＴ字形の散布管３６が配設され、その後方にはハンドル４が配設された記載がある。
刊行物６（米国特許第４２６９３５６号明細書）：
　可搬式の農業用スプレーヤーに関し、「農業用の化学物質又は化学肥料のような溶液を貯留したタンクがフレームに支持されている。」（１欄４６〜４８行）、「タンク６２には、圧力計付リリーフバルブ６８，注入口７０，及び取出し管７２が備えられている。」（２欄４３〜４５行）、の記載があり、また、図１及び２には、タンク６２の前方には複数の散布ヘッド１００，１０６，１１８，１２４を有する散布ブーム９８が配設され、その後方にはハンドル３４が配設された記載がある。
刊行物７（特開昭６２−１１７６５４号公報）：
　スピードスプレーヤーに関し、「第１３図は運転席近傍に配設される操作ボックス１０６を表示している。操作ボックス１０６には、第１０図において説明した薬剤散布装置４４の噴霧配管系統を操作する各種手動レバーが配設される。レバー１０８は三方コック８２を操作するためのものであり、レバー１１０は分水器８４の出口における噴霧コック８６を操作するものであり、ハンドル１１２は調圧弁８８の設定圧を制御するためのものである。ハンドル１１２によて制御された薬剤の圧力は圧力計１１３において表示される。」（４頁右上欄９〜１９行）、「第９図は普通乗用トラック３４のキャビン１２の後方においてフレーム１６上に載置される薬剤散布装置４４を示している。薬剤タンク４６は薬剤を収容し、噴霧ポンプ４８は薬剤タンク４６内の薬剤をノズル５０へ送り、」（３頁左下欄３〜７行）の記載がある。
刊行物８（実願昭５６−８９０５６号（実開昭５７−１９９０７６号公報）のマイクロフイルム）：
　自走式スピードスプレイ装置構造に関し、「（９）は着座部であり、同着座部（９）の肘のせ部分には、開閉自在の蓋体（１０）を設けたアームレス（１１）が設けられており、同アームレス（１１）中は中空として、同中空部分には使用頻度の少い操作機構（１２）を収納し、通常の薬剤噴霧作業時には蓋体（１０）を閉蓋して肘のせ台として使用しておき、必要に応じて開蓋して操作機構（１２）の操作を行うものであり、作業時の邪魔にならず、かつ該操作も少くなるものである。」（３頁１〜９行）、「薬剤タンク（２）は、運転部（１）の後方に運転部と接して配設され、しかも機体（ａ）の中央部に位置するように設けられているものであり、機体（ａ）の中央部に配することにより、薬剤重量でもって機体のバランス調節を行うようにしている。」（３頁１１〜１５行）の記載があり、また、第１図及び第２図には、薬剤タンク２の後方に原動機３を介して噴霧部４を配設された記載がある。
刊行物９（実願昭６１−１１９８１５号（実開昭６３−２７５７３号公報）のマイクロフイルム）：
　建設機械の操作レバー装置に関し、「１４は運転室２内に座席５の右側に位置させて設けられた計器盤であり、この計器盤１４上には各種計器１５および操作スイッチ１６が設けられている。」（４頁４〜７行）、「上記実施例では、計器盤１４を座席５の後部まで延長させてこの計器盤１４の上に右側の操作レバー９ａおよび肘掛け７ａを設けている。」（１３頁１６〜１８行）の記載がある。
　
（対比・判断）
　訂正明細書の発明と上記刊行物１記載の発明とを対比すると、訂正明細書の発明は、少なくとも、(a)「車体１の前端部に適宜数のノズル１６・・・を有するブーム２０，２１を折りたたみ可能に設け、車体１後部に操縦席２ａの後端部から側方にかけて囲むように配設した薬液タンク２を着脱自在に設ける」構成からなる散布部とタンク部の結合構成は記載されていない。
　上記相違点を検討すると、上記刊行物２には、薬液を散布できる乗用管理機に関し、車体の後方に薬液タンクを配設する記載はあるが、散布部に関する記載が認められない。また、上記刊行物３，４，７，８には、薬液又は肥料等の溶液を散布できる乗用管理機に関する記載があるが、それらはいずれもタンク部と散布部が車体の一側に配置されたものである。さらに、刊行物５，６には、薬液又は肥料等の溶液を散布できるものであって、車体の前端部に散布部を配置することが記載されていると認めるが、それらは乗用のものではなく歩行用のものにすぎないから、それらのタンク部は車体の中央に配設されていて車体後部に配設されてはいないと共に操縦席を有するものでもない。そして、刊行物９には、建設機械の操作レバーを運転座席の脇に配設する記載があるだけである。
　そうしてみると、上記刊行物１〜９には、訂正明細書の発明の上記構成(a)「車体１の前端部に適宜数のノズル１６・・・を有するブーム２０，２１を折りたたみ可能に設け、車体１後部に操縦席２ａの後端部から側方にかけて囲むように配設した薬液タンク２を着脱自在に設ける」構成からなる散布部とタンク部の結合構成は、記載されても示唆されてもいない。
　そして、訂正明細書の発明は、上記結合構成を乗用管理機の主要な構成要件とすることにより、「散布ブームを車体前部に、薬液タンクを車体後部に配置する点で、車両の重量バランスが安定し、比しては薬液タンクと散布部とを車体一側に構成するものと比較して、タンク容量を大きくすることができる」（平成１１年１２月８日付け特許異議意見書３頁８〜１１行の記載参照）という特有の効果を奏する。
　したがって、訂正明細書の発明は、上記刊行物１〜９に記載された発明に基づき当業者が容易に発明することができたものであるとすることはできない。　
(2-3)むすび
　以上のとおりであるから、上記訂正は、特許法等の一部を改正する法律（平成６年法律第１１６号。以下「平成６年改正法」という）附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。
　
３．特許異議申立てについての判断
　イ）本件発明
　本件特許の請求項１に係る発明（以下、本件発明という。）は、その特許請求の範囲に記載されたとおりのものであり、上記「(2-2)訂正請求の適否について」の「ニ）独立特許要件について」の「（訂正明細書の発明）」の項に記載したとおりのものである。
　
申立ての理由の概要
　ロ）特許異議申立人株式会社共立は、甲第１〜６号証を提出して、本件発明は、甲第１〜６号証（上記刊行物１、２、４、５、６、８に相当）に記載の発明に基づいて当業者が容易に発明をすることができたものであるから、特許法第２９条第２項の規定に違反して特許されたものであり、当該特許は取り消されるべきである旨主張している。
　
　ハ）判断
　本件発明は、上記「(2-2)訂正請求の適否について」の「ニ）独立特許要件について」の「（対比・判断）」の項で示したように、取消理由通知で示した刊行物に記載された発明から容易に発明をすることができたものとすることができない。
　
４.むすび
　以上のとおりであるから、特許異議申立ての理由によっては本件発明についての特許を取り消すことはできない。
　また、他に本件発明についての特許を取り消すべき理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年９月５日（２０００．９．５）
【訂正の要旨】
（訂正の要旨）
　訂正の要旨は以下のとおりである。
　１）特許請求の範囲の減縮を目的として、特許明細書の特許請求の範囲の「【請求項１】車体１に搭載され操縦席２ａ囲むように配設した薬液タンク２に、薬液散布に必要な操作具３…、または薬液の圧力を表示する計器４…を設けた乗用管理機。」（特許公報１欄２〜５行）の記載を、「【請求項１】車体１の前端部に適宜数のノズル１６…を有するブーム２０，２１を折りたたみ可能に設け、車体１後部に操縦席２ａの後端部から側方にかけて囲むように配設した薬液タンク２を着脱自在に設けると共に、この操縦席２ａ側方の薬液タンク２には、薬液散布に必要な操作具３…、または薬液の圧力を表示する計器４…を設けた乗用管理機。」に訂正する。
　２）明りようでない記載の釈明を目的として、特許明細書の従来技術、および発明が解決しようとする課題の項末尾の記載「・・・課題が有った。」（特許公報２欄１行）の後に行を改め「また、例えば防除作業以外のため薬液タンクを取外す場合、車体に設けられている操作具、計器等が作業に対して邪魔になるとか、このため各操作具、計器も取外すのでは手数を要し煩わしい。」の記載を加える訂正をする。
　３）明りようでない記載の釈明を目的として、特許明細書の課題を解決するための手段の項の、「車体１の後端部から操縦席２ａの側方にかけて薬液タンク２を形成し、この操縦席２ａ側方の薬液タンク２の上部に、前記薬液散布に必要な操作具３…、または薬液の圧力を表示する計器４…を配設してなる乗用管理機の構成とする。」の記載を、「車体１の前端部に適宜数のノズル１６…を有するブーム２０，２１を折りたたみ可能に設け、車体１後部に操縦席２ａの後端部から側方にかけて囲むように配設した薬液タンク２を着脱自在に設けると共に、この操縦席２ａ側方の薬液タンク２には、薬液散布に必要な操作具３…、または薬液の圧力を表示する計器４…を設けた乗用管理機とする。」に訂正する。
　４）明りようでない記載の釈明を目的として、特許明細書の発明の作用、および効果の項末尾の、「・・・操作性を損なうことが無い。」（特許公報２欄１５行）の記載の後に行を改め、「また、防除作業以外の作業を行うため薬液タンク２を取外す必要がある場合、車体１から薬液タンク２を取外すと、各操作具３，３、または各計器４，４等も車体１から除去されるため、前記課題のように、薬液タンク２とは別に操作具や計器等を各々取外す必要がなく、従って防除作業から他の作業状態への切替操作を容易にするものである。」の記載を加える訂正をする。
（５４）【発明の名称】
乗用管理機
（５７）【特許請求の範囲】
　　【請求項１】　
車体１の前端部に適宜数のノズル１６…を有するブーム２０，２１を折りたたみ可能に設け、車体１後部に
の後端部から側方にかけて
を着脱自在に設けると共に、この操縦席２ａ側方の薬液タンク２には
【発明の詳細な説明】
産業上の利用分野
　この発明は、乗用管理機の防除装置に関する。
従来の技術、および発明が解決しようとする課題
　従来、車体の後端部に薬液を収納する薬液タンクを設けた乗用管理機が有った。これらの乗用管理機は、作業を長時間継続するために薬液タンクの容量を大きく構成することが望ましいが、この薬液タンクを大きく構成すると、薬液の噴射、停止を操作するレバーや、薬液噴射のための圧力を表示する圧力計等の設置スペースが少なくなるという課題が有った。
　
また、例えば防除作業以外のため薬液タンクを取外す場合、車体に設けられている操作具、計器等が作業に対して邪魔になるとか、このため各操作具、計器も取外すのでは手数を要し煩わしい。
課題を解決するための手段
　この発明は、以上のような課題を解決するために、
車体１の前端部に適宜数のノズル１６…を有するブーム２０，２１を折りたたみ可能に設け、車体１後部に操縦席２ａの後端部から側方にかけて
を着脱自在に設けると共に、この操縦席２ａ側方の薬液タンク２には、
発明の作用、および効果
　この乗用管理機では、薬液タンク２を操縦席２ａ側方まで形成するために、この容量を大きく構成することができる。また操縦席２ａに着座すると、この搭乗者の側方に薬液散布に必要な操作具３…、または薬液の圧力を表示する計器４…が位置するので、散布にかかる操縦が容易となり操作性を損なうことが無い。
　
また、防除作業以外の作業を行うため薬液タンク２を取外す必要がある場合、車体１から薬液タンク２を取外すと、各操作具３，３、または各計器４，４等も車体１から除去されるため、前記課題のように、薬液タンク２とは別に操作具や計器等を各々取外す必要がなく、従って防除作業から他の作業状態への切替操作を容易にするものである。
実施例
　なお図例において、前部の左右一対の前輪１０，１０と、後部の左右一対の後輪１１，１１とを有した車体１上の前部に、原動機を内装したボンネット１２を設け、このボンネット１２の後端部には、該前輪１０，１０を操舵するハンドル１３を斜設し、又前記車体１の後端部には、後方に向けて突出する左右一対のロアリング１４，１４を設ける。
　該車体１の前端部から前方に向けて突出する左右一対の支持アーム１５，１５には、薬液を噴射する適宜数のノズル１６，１６…を有して該車体１のほゞ全幅に等しい長さの中央ブーム１７を支持させ、又該車体１前端の中央部に設けられた枢着部機１８には、先端部を該中央ブーム１７の側端部にほゞ位置させた回動アーム１９を前方水平方向に左右振替回動可能に設け、この回動アーム１９の先端部には、適宜数のノズル１６，１６…を有した中間ブーム２０を該回動アーム１９に対して上方へ屈折可能に設け、さらにこの中間ブーム２０の先端部には、適宜数のノズル１６，１６…を有した側部ブーム２１を該中間ブーム２０に対して下方へ屈折可能に設ける。
　又前記車体１後端部からロワリング１４，１４の後端部に亘っては、薬液を収容しうると共に搭乗者の操縦席部２ａを形成する薬液タンク２を固定可能に載置し、この操縦席部２ａの側部に形成されたアームレスト２ｂ上には、前記中央ブーム１７の各ノズル１６，１６…に連通するホース１７ａ、前記中間ブーム２０の各ノズル１６，１６…に連通するホース２０ａ及び側部ブーム２１の各ノズル１６，１６…に連通するホース２１ａへの薬液を各々圧送又は停止操作する各操作具３ａ，３ｂ，３ｃを配設し、さらに前記薬液タンク２後端の下側に設けられた薬液ポンプ２２からの吐出圧を調節する調圧弁３ｄ、この調圧弁３ｄで設定された吐出圧を維持するチャンバー４ａ及び調圧弁３ｄによる薬液圧を表示する圧力計４ｂ等を配設する。
　次に作用について説明する。各操作具３ａ，３ｂ，３ｃを各々操作すると、薬液タンク２内から薬液ポンプ２２で圧送される薬液は、ホース１７ａ、中央ブーム１７の各ノズル１６，１６…ホース２０ａ、中間ブーム２０の各ノズル１６，１６…及びホース２１ａ、側部ブーム２１の各ノズル１６，１６…を各々介して噴射される。又各操作具３ａ，３ｂ，３ｃを各々逆に操作すると、各ブーム１７，２０，２１のノズル１６，１６…からの薬液噴射は各々停止される。
　圃場に対する薬液散布の方法としては、車体１を前進させながら各ブーム１７，２０，２１のノズル１６，１６…から全幅に亘って薬液を噴射させ、圃場終端位置では、全ノズルの噴射を停止して、中間ブーム２０と側部ブーム２１とを上方に向けて折たゝみ、回動アーム１９と共に枢着部によって前方水平方向に振替回動させて中間ブーム２０と側部ブーム２１とを折もどした後、車体１を後進させながら中央ブーム１７の各ノズル１６，１６…からの噴射だけを停止した状態で散布する。
　第２図及び第３図は前記ロアリング１４，１４の昇降用その他に用いられる油圧装置の操作機構の装着手段を示し、前記車体１内の薬液タンク２の前方には、前後方向に摺動可能なスプール２４を有したコントロールバルブ２５を配置し、前記右側アームレスト２ｂの右側面には、上部の支持ピン２６と、この支持ピン２６下方の前後一対の取付ピン２７，２７と各々右方に向けて突設し、又該右側アームレスト２ｂの右側面には、該ピン２６，２７，２７を挿通させる孔と、下端部のアウターワイヤー係止部２８とを有した支持部材２９を設ける。該支持ピン２６上には、前方に向けて突出するアーム３０を有した操作レバー３１を回動自在に設け、又前記コントロールバルブ２５の後端部に設けられたアウターワイヤー係止部材３２と前記係止部２８とには、アウターワイヤー３３の両端部を各々係止させ、又前記スプール２４の後端部とアーム３０の前端部とには、該アウターワイヤー３３に挿通するインナーワイヤー３４の両端部を各々連結し、又前記コントロールバルブ２５右方の車体１側面部には、前記各ピン２６，２７，２７と同じ各ピン２６，２７，２７を有した取付板３５を上方に向けて突設する。
　なお３６はスプール２４を前方に向けて弾弁付勢するスプリング、３７は操作レバー３１及び支持部材２９の横移動を係止する割ピンである。
　このような構成によれば、薬液タンク２を車体１から取外した場合、支持部材２９及び操作レバー３１を取付板３５に組替ることができる。
【図面の簡単な説明】
図はこの発明の実施例を示すもので、第１図及び第２図は斜面図、第３図は一部の側面図である。
図中符号１は車体、２は薬液タンク、３は操作具、４は計器を示す。